(57)【要約】      （修正有）【課題】コネクタ位置保証（ＣＰＡ）装置を有する電気コネクタアセンブリを提供する。【解決手段】一緒に噛み合わされる第１及び第２コネクタを含む電気コネクタアセンブリと、第１及び第２コネクタに設置されるコネクタ位置保証（ＣＰＡ）装置。ＣＰＡ装置３００は、前記１つのコネクタと一緒に運搬される場合で、第１及び第２コネクタが噛み合わされる前に、プリロック位置に固定される。プリロック位置で、第２コネクタの固定レバーを、第１及び第２コネクタの主固定部材を係合することができるように、撓ませることができる。第１及び第２コネクタが噛み合わされた場合に、第１コネクタに形成されたリブは、ＣＰＡ装置上に提供された解放部材に作用し、ＣＰＡ装置が最終ロック位置に移動させることを可能にし、そこでは、副固定部材が、第２コネクタの主固定部材の移動を制限して主固定部材が非係合状態になるのを防ぐ。【選択図】図１Ａ
0003163947.tif 000002
【実用新案登録請求の範囲】
【請求項１】
電気コネクタアセンブリであって、
窪みを囲む側壁を有する第１コネクタハウジングであって、側壁の１つが窪みの内側に向けて突出するラッチ部材を有する第１コネクタハウジングと、
前記窪みに挿入可能な第２コネクタハウジングであって、第２コネクタハウジングはそこに接続された固定レバーを有する第２コネクタハウジングと、
第２コネクタハウジングに結合されたコネクタ位置保証（ＣＰＡ）装置であって、ＣＰＡ装置はベース部分及びベース部分から前方に突出する中央突起を有するコネクタ位置保証（ＣＰＡ）装置とを備え、
前記第２コネクタハウジングが前記空洞に挿入される前に、ＣＰＡ装置はプリロック位置にある第２コネクタハウジングに固定され、プリロック位置では固定レバーは、ラッチ部材と係合するための第１位置とラッチ部材から非係合される第２位置との間で第２コネクタハウジングに対して曲げることが可能であり、
第２コネクタハウジングが窪みに挿入される場合に、ＣＰＡ装置はプリロック位置から解放されて、最終ロック位置に移動可能であり、その最終ロック位置では、固定レバーを第１位置に維持するために、中央突起の端部が固定レバー及び第２ハウジングの間に配置されることを特徴とする電気コネクタアセンブリ。
【請求項２】
第１コネクタハウジングが前記側壁の１つ上に形成され且つ窪みの内側に向けて突き出ている一組のリブを備え、
ＣＰＡ装置が中央突起の端部から垂直に延在する一組の横突起を備え、
ＣＰＡ装置がプリロック位置にある場合に、中央突起の端部が、ＣＰＡ装置が最終ロック位置に向かって動くことを防止するための固定レバーに当接し、
第２コネクタハウジングがくぼみに挿入される場合に、前記一組のリブが横突起に対して促し、当接する固定レバーから中央突起の端部を解放することを特徴とする請求項１に記載の電気コネクタアセンブリ。
【請求項３】
第２コネクタハウジングは一組の横突起を備え、ＣＰＡ装置はベース位置から前方に延在する一組のアームを備え、各アームが、プリロック位置にあるＣＰＡ装置を固定するために一組の横突起を係合可能なプリロックラグを有することを特徴とする請求項１に記載の電気コネクタアセンブリ。
【請求項４】
各アームが最終ロック位置にあるＣＰＡ装置を固定するために一組の横突起と係合可能な最終ロックラグを有することを特徴とする請求項３に記載の電気コネクタアセンブリ。
【請求項５】
前記一組のアームが中央突起の向かい側に配置されることを特徴とする請求項３に記載の電気コネクタアセンブリ。
【請求項６】
電気コネクタアセンブリであって、
窪みを囲む側壁を有する第１コネクタハウジングであって、側壁の１つが、窪みの内側に向けて突出するラッチ部材及び一組のリブを有する第１コネクタハウジングと、
前記窪みに挿入可能な第２コネクタハウジングであって、第２コネクタハウジングはそこに接続された固定レバーを有する第２コネクタハウジングと、
第２コネクタハウジングに結合されたコネクタ位置保証（ＣＰＡ）装置であって、ＣＰＡ装置はベース部分、ベース部分から前方に突出する中央突起、及び中央突起の端部から垂直に延在する一組の横突起を有するコネクタ位置保証（ＣＰＡ）装置とを備え、
前記第２コネクタハウジングが前記空洞に挿入される前に、ＣＰＡ装置はプリロック位置にある第２コネクタハウジングに固定され、プリロック位置では固定レバーは、ラッチ部材と係合するための第１位置とラッチ部材から非係合される第２位置との間で第２コネクタハウジングに対して曲げることが可能であり、
第２コネクタハウジングが窪みに挿入される場合に、前記一組のリブが一組の横突起に対して促し、プリロック位置からＣＰＡ装置を解放することを特徴とする電気コネクタアセンブリ。
【請求項７】
第２コネクタハウジングは一組の横突起を備え、ＣＰＡ装置はベース位置から前方に延在する一組のアームを備え、各アームが、プリロック位置にあるＣＰＡ装置を固定するために一組の横突起を係合可能なプリロックラグを有することを特徴とする請求項６に記載の電気コネクタアセンブリ。
【請求項８】
各アームが最終ロック位置にあるＣＰＡ装置を固定するために一組の横突起と係合可能な最終ロックラグを有することを特徴とする請求項７に記載の電気コネクタアセンブリ。
【請求項９】
前記一組のアームが中央突起の向かい側に配置されることを特徴とする請求項７に記載の電気コネクタアセンブリ。
【請求項１０】
コネクタハウジングに結合されるコネクタ位置保証（ＣＰＡ）装置であって、前記コネクタハウジングはそこに接続された固定レバーとそこの上に形成された一組の横突起とを有し、固定レバーはラッチ部材を有し、ＣＰＡ装置は、
ベース部分と、
ベース部分から前方に突き出す中央突起と、
突起の端部から垂直に延在する一組の横突起と、
ベース部分から前に延在する一組のアームであって、各アームはプリロックラグと最終ロックラグを有し、プリロックラグはプリロック位置にあるコネクタハウジングにＣＰＡ装置を固定するために前記一組の横突起と係合可能であり、最終ロックラグは最終ロック位置にあるコネクタハウジングにＣＰＡ装置を固定するために前記一組の横突起と係合可能である、一組のアームとを備えることを特徴とするＣＰＡ装置。
【請求項１１】
中央突起は、プリロック位置から最終ロック位置にＣＰＡ装置を移動させることを防止するラッチ部材と端部が係合する第１位置と、ＣＰＡ装置が最終ロック位置に移動することを許可するラッチ部材から端部が非係合になる第２位置との間で、コネクタハウジングに対して曲げることが可能であることを特徴とする請求項１０に記載の電気コネクタアセンブリ。
【請求項１２】
ＣＰＡ装置が最終ロック位置にある場合に、中央突起の端部がラッチ部材とコネクタハウジングとの間に配置されることを特徴とする請求項１１に記載の電気コネクタアセンブリ。
【考案の詳細な説明】
【技術分野】
【０００１】
本考案は電気コネクタアセンブリに関する。特に、コネクタ位置保証（ＣＰＡ）装置を有する電気コネクタアセンブリに関する。
【背景技術】
【０００２】
ある産業上の応用において、電気コネクタは互いにしっかりと接続されることが要求されている。これらの電気コネクタは典型的には互いにコネクタハウジングを固定するために例えばラッチのような固定機能を備えている。加えて、コネクタ位置保証（ＣＰＡ）装置は、追加の固定保証として固定部材を固定するために提供されている。
【０００３】
コネクタが相手側のコネクタに接続され、そのラッチが互いに係合する場合、ＣＰＡ装置は最終固定位置でラッチを固定するためにコネクタアセンブリに設置され、コネクタの固定状態を確実にする。しかしながら、ＣＰＡ装置は、２つのコネクタが接続される前に最終固定位置に配置されることがあり、その場合２つのコネクタを正しく接続することを困難に、及び／又は、不便にする。
【考案の概要】
【考案が解決しようとする課題】
【０００４】
従って、ＣＰＡ装置を備えたコネクタアセンブリを提供する必要があり、そのＣＰＡ装置はコネクタの１つに設置されることができ、輸送されることができる。２つの噛み合うコネクタが一緒に噛み合わされ、ＣＰＡ装置による固定安全保障機能を必要とするまで、ＣＰＡ装置はプリロック位置にあるコネクタハウジングに固定され、最終ロック位置に動くことは無い。
【課題を解決するための手段】
【０００５】
本願考案の実施形態は、一緒に噛み合う第１コネクタ及び第２コネクタを有する電気コネクタアセンブリ、並びに、第１及び第２コネクタのうちの１つに設置されたコネクタ位置保証（ＣＰＡ）装置を提供する。前記コネクタのうちの１つと共に移動する場合、第１及び第２コネクタが噛み合うまで、ＣＰＡ装置はプリロック位置に固定されている。プリロック位置で、第２コネクタ上の固定レバーは、第１及び第２コネクタの主固定部材が係合できるように撓められることができる。第１及び第２コネクタが噛み合うとき、第１コネクタ上に形成されたリブは、ＣＰＡ装置上で提供された解放部材に対して作用し、ＣＰＡ装置が最終位置に動かされることを可能にする。最終ロック位置では、ＣＰＡ装置の副固定部材が、第２コネクタの主固定部材の動きを制限し、主固定部材が非係合状態になることを防止する。
【０００６】
本願考案の別の側面及び利点は、実施例の方法により本願考案の創造的な概念を示す、添付の図面、と併せて、以下の詳細な説明から明らかになる。
本願考案のこれらの及び他の側面及び利点は、添付の図面を参照して詳細に記載される。
【図面の簡単な説明】
【０００７】
【図１Ａ】本願考案の一実施形態による電気コネクタアセンブリを示す概略的な斜視図である。
【図１Ｂ】図１Ａで示されるコネクタアセンブリの第１コネクタを示す概略的な斜視図である。
【図１Ｃ】上に結合されたＣＰＡ装置を備えた図１Ａで示されるコネクタアセンブリの第２コネクタを示す概略的な斜視図である。
【図２】図１Ａで示されるコネクタアセンブリのＣＰＡ装置を示す概略的な斜視図である。
【図３Ａ】図１Ｃの部分的な断面側面図である。
【図３Ｂ】図１Ｃの部分的な頂面図である。
【図３Ｃ】図３Ａの部分的な断面頂面図である。
【図３Ｄ】２つのコネクタが噛み合わされ、ＣＰＡ装置がプリロック位置にあることを示す部分断面側面図である。
【図４Ａ】ＣＰＡ装置がプリロック位置にある場合の、図１Ａのコネクタアセンブリを示す部分的斜視断面図である。
【図４Ｂ】図４Ａの部分的な斜視頂面図である。
【図５Ａ】ＣＰＡ装置が最終ロック位置にある場合の、図１Ａのコネクタアセンブリを示す部分的断面斜視図である。
【図５Ｂ】図５Ａの部分的な断面側面図である。
【図５Ｃ】図５Ａの部分的な断面頂面図である。
【考案を実施するための形態】
【０００８】
図１Ａで示されているように、本願考案の一実施形態による電気コネクタアセンブリ１０は、第１コネクタ１００、第２コネクタ２００を有し、両方がコネクタハウジングとして示され、それらは互いに噛み合うことができ、そしてコネクタ位置保証（ＣＰＡ）装置３００が移動可能に第２コネクタハウジング２００に結合されている。コンパートメント２０１は第２コネクタハウジング２００に備えられ、その中にコンタクト端子（示されていない）が配置される。ＣＰＡ装置３００は、前方／後方方向１２及び１４に沿って第２コネクタハウジング２００に対して滑動可能である。
【０００９】
図１Ｂは、図１Ａに示されているコネクタアセンブリ１０の第１コネクタハウジング１００を示す。第１コネクタハウジング１００は窪み１０４を囲む側壁１０２を有している。第１ラッチ部材１１８及び１組のリブ１１４、１１６は頂側壁１０２ａに形成され、窪み１０４の内側に突出している。
【００１０】
図１Ｃは、図１Ａに示されているコネクタアセンブリ１０の第２コネクタハウジング２００を示す。第２コネクタハウジング２００は、一組の案内レール２２０、２３０を有し、それらに沿ってＣＰＡ装置３００は滑動可能に第２コネクタハウジング２００に結合されている。第２コネクタハウジング２００は、ベース部分２０２から一体に形成された固定レバー２０４を有し、第２ラッチ部材２１８及び解放ボタン２０６を備え、解放ボタン２０６が押された場合に、固定レバー２０４と第２ラッチ部材２１８が弾性的にベース部分２０２に向かって撓むことができるように構成される。
【００１１】
図２はＣＰＡ装置３００をさらに詳細に示す。ＣＰＡ装置３００は、例えばモールドすることにより一体の部品から形成される。ＣＰＡ装置３００は、ベース部分３０２、カンチレバー方式でベース部分３０２から前方且つ垂直に延在する中央突起３１０を有している。第１及び第２アーム３２０、３３０は、ベース部分３０２から前方に且つ垂直に中央突起３１０の各側に延在する。ベース部分３０２から離れた、中央突起３１０の前端部３１８で、中央突起３１０から僅かに高くなっており、前方方向１２に面するステップ３１２並びに中央突起３１０の前端３１８から垂直に延在する一組の横突起３１４、３１６が形成されている。２つの追加の突起３４０及び３５０がベース３０２上に形成されることができる。
【００１２】
第１アーム３２０の横側上に形成される第１プリロック突起又はラグ（ｌｕｇ）３２４、３２６及び第１最終ロック突起又はラグ３２８がある。さらに、第２プリロック突起又はラグ（ｌｕｇ）３３４，３３６及び第２最終ロック突起又はラグ３３８が、第２アーム３３０の横側上に形成されている。
【００１３】
図３Ａは、図１ＣのＡ−Ａにより描かれている長手方向の断面に沿った部分断面側面図である。第１及び第２コネクタハウジング１００及び２００が噛み合う前に、ＣＰＡ装置３００は、プリロック位置にある第２コネクタハウジング２００に結合されている。プリロック位置で、固定レバー２０４上に形成されたストッパー２１２及びＣＰＡ装置のステップ３１２上は、互いに面し、それにより、ストッパー２１２はＣＰＡ装置３００がさらに前方１２に動くことをブロックする。加えて、図３Ｂ及び３Ｃに示されているように、ＣＰＡ装置３００の第１プリロックラグ３２４，３２６，３３４及び３３６は、それぞれのステップ２２４，２３４及び第２コネクタハウジング２００の横突起２２６，２３６と係合する。これらの係合のおかげで、ＣＰＡ装置３００は後ろ向き方向１４に沿って動くことが防止される。ＣＰＡ装置３００は、プリロック位置にある第２コネクタハウジング２００に固定することができる。これは、第２コネクタがプリロック位置に固定されたＣＰＡ装置と一緒に製造されて運搬されることを可能にする。この構成は、ＣＰＡ装置が第２コネクタから離れて位置することを防ぐことができ、ＣＰＡ装置の紛失を避けることができる。
【００１４】
図３Ａで示されるようなプリロック位置で、第２ラッチ部材２１８と第２コネクタハウジング２００のベース部分２０２との間にギャップ２０８が残っている。そこで、第２ラッチ部材２１８は、押しボタン２０６が押されたときに、下方に移動することが許されることができる。そのようなものであるので、ＣＰＡ装置は第１及び第２コネクタの噛み合いに影響を与えるように誤って配置されることはない。
【００１５】
第１及び第２コネクタハウジング１００及び２００が、互いに噛み合うときに、押しボタン２０６は下方に押され、第２ラッチ部材２１８が下方に動くことを引き起こす。これは第２ラッチ部材２１８が第１固定突起１１８の下を通ることを可能にする。押しボタン２０６が解放された場合、固定レバー２０４は跳ね返り、第２ラッチ部材２１８は第１ラッチ部材１１８に対して作用する。第１及び第２コネクタハウジング１００及び２００は、そこで、図３Ｄに示されるように、第１及び第２ラッチ部材１１８及び２１８の係合により、互いに固定されることができる。
【００１６】
第１及び第２コネクタハウジング１００及び２００の噛み合い、すなわち、第２コネクタハウジング２００が窪み２０４に挿入される場合に、第１コネクタハウジング１００のリブ１１４及び１１６は、図４Ａ及び４Ｂに示されるように、ＣＰＡ装置３００の横突起３１４、３１６に対して動かす。従って、リブ１１４及び１１６は、横突起３１４及び３１６を下方に押す。従って、中央突起３１０は、下方に向けられた前端３１８と共に曲げられて、ステップ３１２がストッパー２１２のブロックから離れるように動くことを引き起こす。これはＣＰＡ装置３００が、さらに、ギャップ２０８の範囲内に、すなわち第２ラッチ部材２１８と第２コネクタハウジング２００のベース部分２０２の間に、位置している前端３１８と共に、前方方向１２に沿って動くことを可能にする。第２突起２１８及びベース部分２０２の間に前端３１８を配置させることにより、ＣＰＡ装置３００は最終ロック位置に動かされる。
【００１７】
図５Ａ、５Ｂ及び５Ｃに示されるように、最終ロック位置で、追加の突起３４０，３５０（１つ追加の突起３５０のみが図５Ａ及び５Ｂで示されている）が第２コネクタハウジング２００の押しボタン２０６の下に配置される。従って、第２固定突起２１８の下方動作は、前端３１８により防止される。加えて、押しボタン２０６の下方動作は、追加の突起３４０及び３５０により防止される。従って、第１及び第２ラッチ部材１１８及び２１８の非係合が防止され、それゆえ第１及び第２コネクタハウジング１００及び２００は互いにしっかりと固定される。
【００１８】
図５Ｃで示されているように、ＣＰＡ装置３００が、最終ロック位置にある場合、第１及び第２最終ロックラグ３２８及び３３８は第２コネクタハウジング２００の横突起２２６及び２３６に対して作用する。この係合により、ＣＰＡ装置３００は最終ロック位置で第２コネクタ２００に固定される。
【００１９】
本願考案の実施形態は添付の図面で描かれて、前述の詳細な説明で記載されているにもかかわらず、本考案が開示された実施形態に限定されず、前述されている本考案の精神及び後述の請求項に記載されている精神から離れることなしに多くの再配置、修正、代替、及び置換をすることができることを十分理解すべきである。
【符号の説明】
【００２０】
１０  電気コネクタアセンブリ
１２  前方方向
１４  後方方向
１００  第１コネクタハウジング
１０２  側壁
１０２ａ  頂側壁
１０４  窪み
１１４  リブ
１１６  リブ
１１８  第１ラッチ部材
２００  第２コネクタハウジング
２０１  コンパートメント
２０２  ベース部分
２０４  固定レバー
２０６  解放ボタン
２０８  ギャップ
２１２  ストッパー
２１８  第２ラッチ部材
２２０  案内レール
２３０  案内レール
３００  ＣＰＡ装置
３０２  ベース部分
３１０  中央突起
３１２  ステップ
３１４  横突起
３１６  横突起
３１８  前端部
３２０  第１アーム
３２４  第１プリロック突起又はラグ
３２６  第１プリロック突起又はラグ
３２８  第１最終ロック突起又はラグ
３３０  第２アーム
３３４  第２プリロック突起又はラグ
３３６  第２プリロック突起又はラグ
３３８  第２最終ロック突起又はラグ
３４０  追加の突起
３５０  追加の突起
【図１Ａ】
0003163947.tif 000003
【図１Ｂ】
0003163947.tif 000004
【図１Ｃ】
0003163947.tif 000005
【図２】
0003163947.tif 000006
【図３Ａ】
0003163947.tif 000007
【図３Ｂ】
0003163947.tif 000008
【図３Ｃ】
0003163947.tif 000009
【図３Ｄ】
0003163947.tif 000010
【図４Ａ】
0003163947.tif 000011
【図４Ｂ】
0003163947.tif 000012
【図５Ａ】
0003163947.tif 000013
【図５Ｂ】
0003163947.tif 000014
【図５Ｃ】
0003163947.tif 000015